(57)【特許請求の範囲】
【請求項１】
電磁弁（１０）であって、
電磁石（１７）によって戻しばね（２２）の力に抗して極コア（２０）に対して縦方向に運動可能な可動子（２３）が設けられており、
可動子（２３）によって、小さいシール直径の補助弁座（３９）と補助閉鎖片（３８）とから成る補助弁（３４）が、直接開放可能であり、
可動子（２３）によって、大きいシール直径の主弁座（４３）と主閉鎖片（４２）とを有する主弁（３５）が、間接的に操作可能であり、
補助弁（３４）及び主弁（３５）が、絞られることなしに電磁弁（１０）の流入側（２８）に接続している１つの弁室（２５）内に配置されており、
補助弁（３４）及び主弁（３５）が、可動子（２３）に対する行程を制限されている、可動子孔（４９）内において可動な共通の閉鎖体（３６）を有しており、該閉鎖体の行程（ｓ）が可動子行程（ｈ）より小であり、
補助弁（３４）が、閉鎖体（３６）中を貫通している通路（４４）及び主弁（３５）によって電磁弁（１０）の流出側（２９）に接続されている形式のものにおいて、
補助弁座（３９）を有するディスク（４０）及び行程を制限するストッパリング（５０）が可動子（２３）の孔（４９）内へ押しはめられていることを特徴とする、電磁弁。
【請求項２】
閉鎖体（３６）が旋削部品であって、その一方の端面側（３７）に補助弁（３４）の補助閉鎖片（３８）を有し、かつ他方の端面側（４１）に主弁（３５）の主閉鎖片（４２）を有しており、かつ通路として、小径の補助閉鎖片（３８）から発して大径の主閉鎖片（４２）に開口している、軸平行に延びている貫通孔（４４）が設けられており、かつ閉鎖体（３６）が外周面側に鍔（４７）を有し、該鍔で閉鎖体が可動子（２３）の孔（４９）内において少なくとも間接的に案内されかつ補助弁（３４）の開放位置においてストッパリング（５０）に支持されることを特徴とする、請求項１記載の電磁弁。
【請求項３】
補助弁（３９）を有するディスク（４０）が底部としてかつ、内側に向けられた肩（５１）を有するストッパリング（５０）が可動子（２３）の孔（４９）内へ押しはめられたスリーブ（５６）の部分として、形成されていることを特徴とする、請求項２記載の電磁弁。
【請求項４】
ストッパリング（５０）の肩（５１）及び閉鎖体（３６）の鍔（４７）が少なくとも１つの切欠き（５３）又は貫通孔（４８）を有していることを特徴とする、請求項２又は３記載の電磁弁。
【発明の詳細な説明】
【０００１】
本発明は、請求項１の上位概念部に記載の形式の電磁弁、つまりマスタブレーキシリンダとポンプの吸い込み側との間に延びている吸い込み導管に配置される、自動車の特にスリップ制御式油圧ブレーキ装置用の電磁弁であって、
電磁石によって戻しばねの力に抗して極コアに対して縦方向に運動可能な可動子が設けられており、
可動子によって、小さいシール直径の補助弁座と補助閉鎖片とから成る補助弁が、直接開放可能であり、
可動子によって、大きいシール直径の主弁座と主閉鎖片とを有する主弁が、間接的に操作可能であり、
補助弁及び主弁が、絞られることなしに電磁弁の流入側に接続している１つの弁室内に配置されており、
補助弁及び主弁が、可動子に対する行程を制限されている、可動子孔内において可動な共通の閉鎖体を有しており、該閉鎖体の行程が可動子行程より小であり、
補助弁が、閉鎖体中を貫通している通路及び主弁によって電磁弁の流出側に接続されている形式のものに関する。
【０００２】
【従来の技術】
上記の形式の電磁弁であって、補助弁の弁座が直接に可動子に形成されておりかつ補助弁及び主弁に共通の閉鎖体がゴム弾性の材料から成っているものが既に公知である（ＤＥ２５４０５９９Ｃ２）。しかしこれらの部分の耐摩耗性が限られているため上記公知の電磁弁の用途は比較的低い圧力の液力媒体の切り替えに制限される。さらに可動子の端面側にディスク状に形成された閉鎖体を受容するために、開口側に肩を有する、軸方向で比較的深い切欠きが設けられる。上記肩は補助弁開放後の可動子に対する閉鎖体の行程を制限する。従って主弁の開放のためには可動子の行程のたんに僅かな部分しか利用できない。さらに閉鎖体行程が調節可能でなく、専ら、可動子における切欠きの深さおよび閉鎖体のディスクの厚さに左右される。
【０００３】
【発明が解決しようとする課題】
本発明の課題は従来技術の上記の欠点を排除することにある。
【０００４】
【課題を解決するための手段】
上記の課題は請求項１に記載の特徴を有する手段によって解決されている。
【０００５】
【発明の効果】
請求項１に記載の特徴を有する本発明による電磁弁は従来技術に対して以下の利点を有する。
【０００６】
即ち、補助弁座が、可動子の有利には磁気回路の特性に適合せしめられた材料とは無関係に、電磁弁が使用される油圧回路の要求を考慮して選択された材料から成る構造部分に形成することができる。従って本発明による手段を用いることにより、補助弁座を高い耐摩耗性を有しかつ高負荷可能に形成し、これに適合した閉鎖体および主弁座と共に、極めて高い圧力が発生しかつ構成部品の安全性に対する要求が極めて高い自動車の油圧ブレーキ装置への電磁弁の使用を可能にする。さらに本発明の手段によれば、簡単な形式で閉鎖体行程をストッパリングの押しはめ深さに相応して補助弁座に対して及び又は可動子行程に対して適合させることができる。
【０００７】
従属請求項に記載の手段によれば請求項１記載の電磁弁の有利な発展及び改良が得られる。
【０００８】
【発明の実施の形態】
図１及び２に示されている第１実施例は自動車のスリップ制御式油圧ブレーキ装置に使用するための電磁弁１０を示し、ブレーキ装置については図１にはたんに貯蔵タンク１２を有するマスタブレーキシリンダ１１及び高圧ポンプ１３だけが示されている。このようなブレーキ装置は公開されていないＤＥ−４４４１７９１Ａ１に記載されている。このブレーキ装置は、アンチロック制御の他に、トラクションコントロール並びにスキッドコントロール（ビークルダイナミックコントロール）及び運転者ブレーキ操作時の補助のためのオートマチックブレーキングを行うものである。マスタブレーキシリンダ１１とポンプ１３との間の吸い込み導管１４に配置されている本発明の電磁弁１０に対する重要な要求は、従って、ポンプ１３が特に低温時に十分な容積流量を送出することができるようにするために、マスタブレーキシリンダ１１から生ぜしめられたブレーキ圧力に抗して開くこと、それも比較的大きな流過横断面を開放するすることである。
【０００９】
電磁弁１０は電磁石１７を有し、これは主にコイル１８、ケーシング周壁１９及び極コア２０から成る。極コア２０は、プレロードを負荷された戻しばね２２の力に抗して極コア２０に対して縦方向で運動可能な可動子２３のための案内スリーブ２１に気密に溶接されている。案内スリーブ２１はその他方の端部で弁体２４に気密に結合されている。可動子２３と弁体２４との間には案内スリーブ２１内に第１の弁室２５が形成されており、これは案内スリーブ内の開口２６及びフィルタ２７により、絞られることなく電磁弁１０の流入側２８に接続されている。この流入側２８からはマスタブレーキシリンダ１１への既に述べた吸い込み導管１４が延びている。電磁弁１０の流出側２９は縦方向に作孔されている弁体２４の出口側にある。この流出側２９は吸い込み導管１４によりポンプ１３の吸い込み側に接続している。電磁弁１０は第１の弁室２５の他に、極コア２０と可動子２３との間に形成された第２の弁室３０を有している。両弁室２５及び３０は可動子２３の縦溝３１によって互いに接続されている。可動子２３は圧力媒体によって周囲を「掃気」される。
【００１０】
電磁弁１０は流入側２８と流出側２９との間の流通を補助弁３４及び主弁３５で切り換える。補助弁３４及び主弁３５は共通の１つの閉鎖体３６を有する弁座である。この閉鎖体３６は鋼から成るほぼ円筒形の旋削部品である。閉鎖体３６はその極コア側の端面３７に補助弁３４のほぼ半球状の補助閉鎖片３８を有している（図２）。この半球状の補助閉鎖片３８と共に補助弁３４を形成する中空円錐状の補助弁座３９は鋼から成るディスク４０に形成されている。閉鎖体３６はその極コア側とは反対側の端面４１に主弁３５の主閉鎖片４２を有している。球面ディスク状の主閉鎖片４２は弁体２４に中空円錐状に形成された主弁座４３と協働する。閉鎖体３６は段付き貫通孔４４を有し、これは小径の補助閉鎖片３８から出発して大径の主閉鎖片４２内に開口している。補助弁３４は要するに閉鎖体３６の貫通孔４４によって形成されている通路及び主弁３５によって電磁弁１０の流出側２９に直接に接続している。
【００１１】
閉鎖体３６はその極コア側の端面３７の範囲の外周側に環状に延びた鍔４７を有し、これは複数の貫通孔４８を有している。閉鎖体３６は可動子２３の、極コア側とは反対側の端部にある袋孔としての孔４９内へ係合している。該孔４９の底部には補助弁座３９を有するディスク４０がある。これは可動子２３の孔４９内へ押しはめられ又は該孔内にかしめによって固定されている。可動子２３の孔４９内の開口側にはストッパリング５０が配置されている。これも孔４９内へ押しはめられている。ストッパリング５０は半径方向で内側に向いた肩５１を有し、これはストッパリング５０中の閉鎖体３６が通っている孔５２を制限している。肩５１内には切欠き５３が、弁室２５と可動子の孔４９との間の圧力媒体を通す接続部として形成されている。ストッパリング５０の肩５１は可動子２３の孔４９内において案内されている閉鎖体３６の鍔４７に対して平行に延びている。ストッパリング５０は閉鎖体３６の行程ｓを可動子行程ｈよりも小さい値に制限する。閉鎖体行程ｓは同時に補助弁３４の行程でもある。
【００１２】
電磁弁１０の作業形式は以下の通りである。
【００１３】
電磁弁１０はコイル１８への給電により図示の遮断位置から流通位置へ切り換えられ、この位置では流入側２８が下流側２９に、開放された主弁３５により接続される。切り替え時に可動子２３に作用する磁力は可動子行程ｈの始めにはその最も低い値をとる。可動子行程ｈが進行すると、換言すれば極コア２０に可動子２３が近接すると、磁力はその最大値に達する。
【００１４】
電磁弁１０の流入側２８と流出側２９の圧力がバランスすると可動子２３及び閉鎖体３６に対する液力的閉鎖力は働かなくなる。磁力は従って、電磁弁１０を開放するために、たんに戻しばね２２のプレロードを克服するだけでよい。
【００１５】
これに対して電磁弁１０が閉じられる場合、例えばマスタブレーキシリンダ１１の操作によって流入側２８に流出側２９よりも高い圧力が生じる場合、可動子２３及び閉鎖体３６は圧力バランスされず、即ち液力的閉鎖力が可動子及び閉鎖体に作用する。可動子２３における閉鎖力は補助弁３４のシール面に関連し、閉鎖体３６における閉鎖力を主弁３５のシール面から補助弁３４のシール面分だけ減少させる。閉鎖体３６に作用する閉鎖力は主弁３５の大きな横断面に基づき可動子２３に作用する閉鎖力よりも著しく大きい。可動子行程ｈのはじめにおける低い磁力は従って極コア２０に向かって可動子２３が運動するさい、補助弁３４を開放するために、戻しばね２２及び、可動子に作用する液力的閉鎖力を克服しなければならない。可動子の運動の進行に伴って次第に開く補助弁３４により圧力媒体は流入側２８から弁室２５、ストッパリング５０及び閉鎖体鍔４７中の切欠き５３及び貫通孔４８、閉鎖体３６の貫通孔４４を通って流出側２９へ流れ、その結果圧力差が減少し、閉鎖体３６に作用する閉鎖力が減少する。可動子の運動がさらに進行すると閉鎖体行程ｓ＝０のときストッパリング５０の肩５１が閉鎖体３６の鍔４７に当接する。可動子行程運動のこの位相中著しく大きな磁力は、可動子２３の質量慣性と共に作用して、閉鎖体３６に負荷される液力的閉鎖力を克服し閉鎖体を弁体２４から持ち上げることができる。これにより主弁３５は開かれる。可動子開放行程の終わりに、要するに極コア２０に可動子が係合したときに、主弁３５の流過横断面は最大に達する。
【００１６】
閉鎖体行程ｓは可動子中の袋孔としての孔４９内へのストッパリング５０の押しはめ深さを適宜調節することによって設定することができる。電磁弁１０における圧力差が極めて大きいときにも主弁３５の確実な開放が得られるようにするため、閉鎖行程ｓを主弁３５の流過横断面を犠牲にして可動子行程ｈに近づけることができる。
【００１７】
第２の実施例に関する以下の説明においては既に述べた実施例と異なる点についてのみ説明する。従って図示されている特徴事項のうち説明されていない事項については図１及び２の実施例における特徴事項と共通である。
【００１８】
図１及び２の実施例に対する図３の実施例の重要な相違点はストッパリング５０及びディスク４０が、鋼から成る薄壁のスリーブ５６の形の１つの構造部分に一体化されていることにある。このスリーブ５６はその周壁５７で可動子２３の袋孔４９内へ押しはめられている。スリーブ５６は開口側に内側へ向いた肩５１を有し、該肩は袋孔としての孔４９内へ圧力媒体を入れるための切欠き５３を有している。肩５１は閉鎖体３６の鍔４７と協働して閉鎖体行程ｓを制限する。袋孔底部の範囲に延びている、図２のディスク４０として作用する底壁５８は中空円錐形にプレス加工されていて補助弁座３９として役立つ。
【００１９】
スリーブ５６及び閉鎖体３６はこの実施例ではたんに２つの個別部分から成る予め組立可能な構造グループを形成する。該構造グループはスリーブ５６を押しはめることによって可動子２３に組付けられる。閉鎖体行程ｓの大きさはスリーブ５６および閉鎖体３６の設計によって予め設定されておりかつ押しはめ工程によって固定される。
【００２０】
図３により構成された電磁弁の機能ははじめに説明された実施例の場合と同一である。
【図面の簡単な説明】
【図１】可動子内に補助弁を有する電磁弁の縦断面図
【図２】図１の補助弁の拡大図
【図３】補助弁の別の一実施例の拡大図
【符号の説明】
１０      電磁弁
１１      マスタブレーキシリンダ
１２      貯蔵タンク
１３      高圧ポンプ
１４      吸い込み導管
１７      電磁石
１９      ケーシング周壁
２０      極コア
２１      案内スリーブ
２２      戻しばね
２３      可動子
２４      弁体
２５      弁室
２６      開口
２７      フィルタ
２８      流入側
２９      流出側
３０      弁室
３４      補助弁
３５      主弁
３６      閉鎖体
３７      端面
３８      補助閉鎖片
３９      補助弁座
４０      ディスク
４１      端面
４２      主閉鎖片
４４      貫通孔
４７      鍔
４８      貫通孔
４９      孔
５０      ストッパリング
５１      肩
５２      孔
５３      切欠き
５６      スリーブ
５８      底壁
ｈ        可動子行程
ｓ        閉鎖体行程
【図１】
0003786477.tif 000002
【図２】
0003786477.tif 000003
【図３】
0003786477.tif 000004